(57)【要約】【課題】端子金具とフィルタ素子を接続する中継端子の種類数を削減する。【解決手段】フィルタ素子内蔵型コネクタは、合成樹脂製のハウジング１０と、ハウジング１０に設けられた２つの端子金具１９Ｌ，１９Ｒと、リード線２７Ｆを有し、フィルタ素子として機能するコンデンサ２５と、リード線２７Ｆとは線径の異なる線材からなる端子部３２Ｆを有し、フィルタ素子として機能する抵抗３０と、端子金具１９Ｌ，１９Ｒに接続可能な中継端子４０と、中継端子４０に形成され、リード線２７Ｆとの接続が可能なコンデンサ用接続部４２と、中継端子４０に形成され、端子部３２Ｆとの接続が可能な抵抗用接続部４３とを備えている。【選択図】図１
2016062731.tif 000002
【特許請求の範囲】
【請求項１】
合成樹脂製のハウジングと、
前記ハウジングに設けられた２つの端子金具と、
リード線を有し、フィルタ素子として機能するコンデンサと、
前記リード線とは線径の異なる線材からなる端子部を有し、フィルタ素子として機能する抵抗と、
前記端子金具に接続可能な中継端子と、
前記中継端子に形成され、前記リード線との接続が可能なコンデンサ用接続部と、
前記中継端子に形成され、前記端子部との接続が可能な抵抗用接続部とを備えていることを特徴とするフィルタ素子内蔵型コネクタ。
【請求項２】
前記中継端子が、前記端子金具を挿入可能な端子用角筒部と、前記端子用角筒部内に挿入された前記端子金具に対し弾性的に接触可能な端子用弾性接触片とを有していることを特徴とする請求項１記載のフィルタ素子内蔵型コネクタ。
【請求項３】
前記中継端子が、前記リード線を挿入可能な角筒部と、前記角筒部内に挿入された前記リード線に対し弾性的に接触可能なコンデンサ用弾性接触片とを有していることを特徴とする請求項１又は請求項２記載のフィルタ素子内蔵型コネクタ。
【請求項４】
前記中継端子が、前記端子部を挿入可能な角筒部と、前記角筒部内に挿入された前記端子部に対し弾性的に接触可能な抵抗用弾性接触片とを有していることを特徴とする請求項１ないし請求項３のいずれか１項に記載のフィルタ素子内蔵型コネクタ。
【請求項５】
前記端子部の線径が前記リード線の線径よりも大きく、
前記中継端子が、前記リード線と前記端子部を同じ向きに挿入可能な角筒部と、前記角筒部内に挿入された前記リード線に対し弾性的に接触可能なコンデンサ用弾性接触片と、前記角筒部内に挿入された前記端子部に対し弾性的に接触可能な抵抗用弾性接触片とを備え、
前記抵抗用弾性接触片が、前記角筒部への挿入方向において前記コンデンサ用弾性接触片よりも手前側に配置されていることを特徴とする請求項１ないし請求項４のいずれか１項に記載のフィルタ素子内蔵型コネクタ。
【請求項６】
前記２つの端子金具は、前記中継端子との接続方向が平行となるように並列配置されており、
前記コンデンサと前記抵抗が、直列に接続された状態でフィルタユニットとして一体化され、
前記フィルタユニットにおいては、前記リード線と前記端子部が互いに平行な向きに配されていることを特徴とする請求項５記載のフィルタ素子内蔵型コネクタ。
【発明の詳細な説明】
【技術分野】
【０００１】
本発明は、フィルタ素子内蔵型コネクタに関するものである。
【背景技術】
【０００２】
特許文献１には、ハウジング内に収容されたコンデンサと、ハウジングに取り付けられた一対の端子金具とを備えたフィルタ素子内蔵型コネクタが開示されている。コンデンサはコンデンサ本体からリード線を導出した形態であり、リード線は端子金具に接続されている。
【先行技術文献】
【特許文献】
【０００３】
【特許文献１】特許第４５２４３１８号公報
【発明の概要】
【発明が解決しようとする課題】
【０００４】
この種のフィルタ素子内蔵型コネクタにおいて、コンデンサのリード線を端子金具に接続する手段としては、半田付けが行われる。しかし、特許文献１に記載されたコネクタでは、ハウジングが合成樹脂製であるため、ハウジングのうち端子金具に近い部分が、半田を溶かすための熱によって変形することが懸念される。また、フィルタ素子として、コンデンサに抵抗を直列接続したものがあるが、この種のフィルタ素子においても、抵抗に形成された線状をなす端子部と、端子金具と接続する手段として半田付けが行われる。したがって、この場合も、半田を溶かすための熱によってハウジングの変形が懸念される。
【０００５】
ハウジングの熱変形を回避するためには、リード線と端子金具との接続、及び端子部と端子金具との接続を、中継端子を用いて行うことが考えられる。しかし、リード線の線径と端子部の線径は、互いに異なる寸法であることが少なくないことから、リード線用と端子部用の専用の中継端子が別個に必要となり、部品の種類数が多くなる。
【０００６】
本発明は上記のような事情に基づいて完成されたものであって、端子金具とフィルタ素子を接続するための中継端子の種類数を削減することを目的とする。
【課題を解決するための手段】
【０００７】
本発明のフィルタ素子内蔵型コネクタは、
合成樹脂製のハウジングと、
前記ハウジングに設けられた２つの端子金具と、
リード線を有し、フィルタ素子として機能するコンデンサと、
前記リード線とは線径の異なる線材からなる端子部を有し、フィルタ素子として機能する抵抗と、
前記端子金具に接続可能な中継端子と、
前記中継端子に形成され、前記リード線との接続が可能なコンデンサ用接続部と、
前記中継端子に形成され、前記端子部との接続が可能な抵抗用接続部とを備えているところに特徴を有する。
【発明の効果】
【０００８】
中継端子のコンデンサ用接続部にリード線を接続すれば、その中継端子を介して、端子金具とコンデンサが接続される。中継端子の抵抗用接続部に端子部を接続すれば、その中継端子を介して、端子金具と抵抗が接続される。中継端子は、端子金具とコンデンサを接続する機能と、端子金具と抵抗を接続する機能とを兼ね備えているので、中継端子は単一種類で済ますことが可能である。
【図面の簡単な説明】
【０００９】
【図１】実施例１のフィルタ素子内蔵型コネクタの一部切欠平面図
【図２】図１のＸ−Ｘ線断面図
【図３】中継端子による端子金具とリード線との接続構造をあらわす部分拡大断面図
【図４】中継端子による端子金具と端子部との接続構造をあらわす部分拡大断面図
【発明を実施するための形態】
【００１０】
本発明のフィルタ素子内蔵型コンデンサは、前記中継端子が、前記端子金具を挿入可能な端子用角筒部と、前記端子用角筒部内に挿入された前記端子金具に対し弾性的に接触可能な端子用弾性接触片とを有していてもよい。この構成によれば、中継端子と端子金具との接続を容易に行うことができる。
【００１１】
本発明のフィルタ素子内蔵型コンデンサは、前記中継端子が、前記リード線を挿入可能な角筒部と、前記角筒部内に挿入された前記リード線に対し弾性的に接触可能なコンデンサ用弾性接触片とを有していてもよい。この構成によれば、中継端子とリード線との接続を容易に行うことができる。
【００１２】
本発明のフィルタ素子内蔵型コンデンサは、前記中継端子が、前記端子部を挿入可能な角筒部と、前記角筒部内に挿入された前記端子部に対し弾性的に接触可能な抵抗用弾性接触片とを有していてもよい。この構成によれば、中継端子と端子部との接続を容易に行うことができる。
【００１３】
本発明のフィルタ素子内蔵型コンデンサは、前記端子部の線径が前記リード線の線径よりも大きく、前記中継端子が、前記リード線と前記端子部を同じ向きに挿入可能な角筒部と、前記角筒部内に挿入された前記リード線に対し弾性的に接触可能なコンデンサ用弾性接触片と、前記角筒部内に挿入された前記端子部に対し弾性的に接触可能な抵抗用弾性接触片とを備え、前記抵抗用弾性接触片が、前記角筒部への挿入方向において前記コンデンサ用弾性接触片よりも手前側に配置されていてもよい。
この構成によれば、コンデンサ用弾性接触片と抵抗用弾性接触片を同軸状に配置できるので、中継端子の小型化を図ることができる。
【００１４】
本発明のフィルタ素子内蔵型コンデンサは、前記２つの端子金具は、前記中継端子との接続方向が平行となるように並列配置されており、前記コンデンサと前記抵抗が、直列に接続された状態でフィルタユニットとして一体化され、前記フィルタユニットにおいては、前記リード線と前記端子部が互いに平行な向きに配されていてもよい。
この構成によれば、中継端子を介してリード線を端子金具に接続する工程と、中継端子を介して端子部を端子金具に接続する工程とを、ワンアクションで行うことができる。
【００１５】
＜実施例１＞
以下、本発明を具体化した実施例１を図１〜図４を参照して説明する。本実施例１のフィルタ素子内蔵型コネクタは、合成樹脂製のハウジング１０と、左右一対の端子金具１９Ｌ，１９Ｒと、フィルタユニット２０と、２つの中継端子４０とを備えて構成されている。尚、以下の説明において、上下の方向については図２に表れる向きを基準とし、前後方向については図１〜４における左側を前側と定義する。
【００１６】
＜ハウジング１０＞
ハウジング１０は、ハウジング本体１１と、カバー１８とを組み付けて構成されている。ハウジング本体１１は、インサート成形により左右一対の端子金具１９Ｌ，１９Ｒと一体化されている。ハウジング本体１１は、上面と後面が開放された箱部１２と、箱部１２を構成する前壁部１３の前端外周縁から前方へ角筒状に延出したフード部１４とを一体に成形したものである。箱部１２を構成する底壁部１５には、左右方向のリブ状に突出したストッパ１６が形成されている。箱部１２の後面の開口部には、その下端縁に沿って上方へリブ状に立ち上がる抜止め部１７が形成されている。カバー１８は、側面視が略Ｌ字形をなし、ハウジング本体１１に対し箱部１２の上面と後面の開口を塞ぐように組み付けられる。
【００１７】
＜端子金具１９Ｌ，１９Ｒ＞
端子金具１９Ｌ，１９Ｒは、全体として前後方向に細長く延びた形態である。一対の端子金具１９Ｌ，１９Ｒは、左右に並列するように配されており、ハウジング１０の前壁部１３を前後に貫通した状態でインサート成形によりハウジング１０（箱部１２）と一体化されている。したがって、端子金具１９Ｌ，１９Ｒの前端側領域は、フード部１４内に収容され、図示しないワイヤーハーネスを構成する相手側端子（図示省略）に接続されるようになっている。一対の端子金具１９Ｌ，１９Ｒの後端部は、箱部１２内に収容されて互いに平行に並んでいる。
【００１８】
＜フィルタユニット２０＞
フィルタユニット２０は、絶縁性の合成樹脂からなるホルダ２１と、導電板２８と、コンデンサ２５（請求項に記載のフィルタ素子）と、抵抗３０（請求項に記載のフィルタ素子）とを備えて構成されている。後述するように、フィルタユニット２０の組み立ては、ハウジング１０の外部で行われる。組み立てが完了したフィルタユニット２０は、中継端子４０とともにハウジング１０に取り付けられる。
【００１９】
＜ホルダ２１及び導電板２８＞
ホルダ２１は、合成樹脂製、つまり、絶縁性材料からなる。ホルダ２１は、平面視形状が略方形であって、ブロック状をなす本体部２２と本体部２２の後端部における下端縁から後方へ延出した形態の板状部２３とを有している。本体部２２の左側縁部には、上面が開口されたコンデンサ用収容凹部２４Ｌが形成され、本体部２２の右側縁部には、上面が開口された抵抗用収容凹部２４Ｒが形成されている。導電板２８は、金属製の平板からなる。導電板２８は、インサート成形により、板状部２３の上面に露出するようにホルダ２１と一体化されている。
【００２０】
＜コンデンサ２５＞
コンデンサ２５は、コンデンサ本体２６と、コンデンサ本体２６から延出する前後一対のリード線２７Ｆ，２７Ｒとを備えて構成されている。コンデンサ本体２６は、コンデンサ用収容凹部２４Ｌ内に収容されることにより、ホルダ２１と一体化されている。一対のリード線２７Ｆ，２７Ｒは、いずれも、コンデンサ本体２６の上面における前端部と後端部から上向きに導出されている。前側のリード線２７Ｆは、前方へ転向しており、中継端子４０に接続されている。後側のリード線２７Ｒは、後方へ転向し、更に下向きに転向するように屈曲されている。後側のリード線２７Ｒは、導電板２８の上面に対し、半田２９（溶接）によって導通可能に固着されている。
【００２１】
＜抵抗３０＞
抵抗３０は、抵抗本体３１と、抵抗本体３１から延出する前後一対の端子部３２Ｆ，３２Ｒとを備えて構成されている。抵抗本体３１は、抵抗用収容凹部２４Ｒ内に収容されることにより、ホルダ２１と一体化されている。一対の端子部３２Ｆ，３２Ｒは、いずれも、リード線２７Ｆ，２７Ｒよりも線径の大きい線材からなり、抵抗本体３１の上面における前端部と後端部から上向きに導出されている。前側の端子部３２Ｆは、前方へ転向しており、中継端子４０に接続されている。後側の端子部３２Ｒは、後方へ転向し、更に下向きに転向するように屈曲されている。後側の端子部３２Ｒは、導電板２８の上面に対し、半田３３（溶接）によって導通可能に固着されている。これにより、コンデンサ２５と抵抗３０が、導電板２８を介して直列に接続されている。
【００２２】
＜中継端子４０＞
中継端子４０は、機能的には、端子金具１９Ｌ，１９Ｒと接続するための端子用接続部４１と、コンデンサ２５のリード線２７Ｆと接続するためのコンデンサ用接続部４２と、抵抗３０の端子部３２Ｆと接続するための抵抗用接続部４３とを有している。したがって、中継端子４０は、端子金具１９Ｌとコンデンサ２５を中継して接続する機能と、端子金具１９Ｌと抵抗３０を中継して接続する機能とを兼ね備えている。
【００２３】
中継端子４０は、所定形状に打ち抜いた金属板材に曲げ加工等を施して成型されたものである。図３，４に示すように、中継端子４０は、構造的には、その全長に亘って前後方向に細長く成形された基板４４と、中継端子４０の前端側領域に配されて前後方向に貫通した形態の端子用角筒部４５と、中継端子４０の後端側領域に配されて前後方向に貫通した形態の共用角筒部４６（請求項に記載の角筒部）とを備えている。基板４４の前端側領域は端子用角筒部４５を構成し、基板４４の後端側領域は共用角筒部４６を構成している。したがって、端子用角筒部４５と共用角筒部４６は、前後に並ぶように配置されている。
【００２４】
端子用角筒部４５内には、端子用弾性接触片４７が収容されている。端子用弾性接触片４７は、端子用角筒部４５を構成する壁部のうち基板４４と対向する上壁部の前端縁から延出した板状部２３を、端子用角筒部４５内へ折り返して山形に屈曲変形させて形成されている。端子用角筒部４５と端子用弾性接触片４７は、端子用接続部４１を構成する。
【００２５】
端子用角筒部４５内には、中継端子４０の前方から端子金具１９Ｌ，１９Ｒの後端部が、基板４４に摺接するように挿入されている。端子金具１９Ｌ，１９Ｒが未挿入の状態では、端子用弾性接触片４７は弾性撓みしていない自由状態となっている。この自由状態における端子用弾性接触片４７と基板４４との間の最小間隔は、端子金具１９Ｌ，１９Ｒの板厚よりも小さい寸法に設定されている。したがって、端子用角筒部４５に挿入された端子金具１９Ｌ，１９Ｒは、基板４４と端子用弾性接触片４７との間で弾性的に挟み付けられることにより、中継端子４０と導通可能に接続される。
【００２６】
共用角筒部４６内のうち前端側領域には、コンデンサ用弾性接触片４８が収容されている。共用角筒部４６とコンデンサ用弾性接触片４８は、コンデンサ用接続部４２を構成する。コンデンサ用弾性接触片４８は、共用角筒部４６を構成する壁部のうち基板４４と対向する上壁部の前端縁から延出した板状部２３を、共用角筒部４６内へ折り返して山形に屈曲変形させて形成されている。コンデンサ用弾性接触片４８が弾性撓みしていない自由状態であるとき、コンデンサ用弾性接触片４８と基板４４との間の最小間隔は、リード線２７Ｆの直径よりも小さい寸法に設定されている。
【００２７】
共用角筒部４６内のうち後端側領域（つまり、コンデンサ用弾性接触片４８よりも後方の領域）には、抵抗用弾性接触片４９が収容されている。共用角筒部４６と抵抗用弾性接触片４９は、抵抗用接続部４３を構成する。抵抗用弾性接触片４９は、共用角筒部４６の上壁部の後端縁から延出した板状部２３を、共用角筒部４６内へ折り返して山形に屈曲変形させて形成されている。抵抗用弾性接触片４９が弾性撓みしていない自由状態であるとき、抵抗用弾性接触片４９と基板４４との間の最小間隔は、端子部３２Ｆの直径よりも小さく、且つリード線２７Ｆの直径よりも大きい寸法に設定されている。
【００２８】
左右２つの中継端子４０は形状・寸法を共通とする同一種部品であり、各中継端子４０には、前側のリード線２７Ｆと前側の端子部３２Ｆが選択的に接続可能となっている。そして、左側の中継端子４０の共用角筒部４６には、後方から前側のリード線２７Ｆが挿入され、右側の中継端子４０の共用角筒部４６には、後方から前側の端子部３２Ｆが挿入されている。中継端子４０に対するリード線２７Ｆと端子部３２Ｆの挿入方向（接続方向）は、中継端子４０に対する端子金具１９Ｌ，１９Ｒの挿入方向（接続方向）と平行である。また、共用角筒部４６内におけるコンデンサ用弾性接触片４８と抵抗用弾性接触片４９の位置関係は、コンデンサ用弾性接触片４８が、リード線２７Ｆ及び端子部３２Ｆの挿入方向において抵抗用弾性接触片４９よりも先方に位置していることになる。
【００２９】
＜実施例１の作用及び効果＞
フィルタ素子内蔵型コネクタの製造工程を説明する。まず、インサート成形により、ハウジング本体１１を成形すると同時に、ハウジング本体１１と一対の端子金具１９Ｌ，１９Ｒを一体化させる。この後、左右２つの端子金具１９Ｌ，１９Ｒに対し、夫々、後方から中継端子４０の端子用角筒部４５を嵌合する。端子金具１９Ｌ，１９Ｒに接続した中継端子４０は、前後方向において同じ位置で待機するように位置決めしておく。
【００３０】
一方、ハウジング１０の成型工程とは別に、フィルタユニット２０の組み立てが行われる。フィルタユニット２０の組み立ては、まず、ホルダ２１と導電板２８をインサート成形により一体化させる。次に、コンデンサ本体２６をコンデンサ用収容凹部２４Ｌ内に組み付けるとともに、抵抗本体３１を抵抗用収容凹部２４Ｒ内に組み付ける。そして、前側のリード線２７Ｆと前側の端子部３２Ｆの向きを、互いに平行をなして前方へ突出するように揃える。また、線径の細いリード線２７Ｆの前端は、線径の太い端子部３２Ｆの前端よりも前方に位置するようにする。さらに、後側のリード線２７Ｒを半田２９により導電板２８に固着し、後側の端子部３２Ｒを半田３３により導電板２８に固着する。以上により、フィルタユニット２０の組み立てが完了する。
【００３１】
完成したフィルタユニット２０は、前側のリード線２７Ｆと前側の端子部３２Ｆを先（前方）に向けてハウジング１０の後方から箱部１２内に収容する。収容する過程では、前側のリード線２７Ｆを、左側の中継端子４０の共用角筒部４６に対して後方から挿入すると同時に、前側の端子部３２Ｆを、右側の中継端子４０の共用角筒部４６に対して後方から挿入する。尚、本実施例では、フィルタユニット２０をハウジング１０に組み付ける前に、予め中継端子４０を端子金具１９Ｌ，１９Ｒに接続しておいたが、中継端子４０は、フィルタユニット２０をハウジング１０に組み付ける前に、リード線２７Ｆと端子部３２Ｆに接続しておいてもよい。
【００３２】
共用角筒部４６にリード線２７Ｆと端子部３２Ｆが挿入する過程において、端子部３２Ｆよりも外径寸法の小さいリード線２７Ｆは、抵抗用弾性接触片４９を通過し、コンデンサ用弾性接触片４８と基板４４との間に割り込むように進入する。これにより、コンデンサ用弾性接触片４８がリード線２７Ｆに対し弾性的に接触し、左側の端子金具１９Ｌとコンデンサ２５が中継端子４０を介して接続される。また、抵抗用弾性接触片４９は、リード線２７Ｆと非接触なので、弾性撓みはしない。
【００３３】
一方、リード線２７Ｆよりも外径寸法の大きい端子部３２Ｆは、抵抗用弾性接触片４９と基板４４との間に割り込むように進入する。これにより、抵抗用弾性接触片４９が端子部３２Ｆに対し弾性的に接触し、右側の端子金具１９Ｒと抵抗３０が中継端子４０を介して接続される。また、端子部３２Ｆの前端は、コンデンサ用弾性接触片４８と接触する位置まで到達しないので、コンデンサ用弾性接触片４８は弾性撓みしない。
【００３４】
そして、ホルダ２１の前端がストッパ１６に当接すると、フィルタユニット２０が、ハウジング１０に対して前止まりされる。この後、フィルタユニット２０の後端部を下方へ少し変位させてホルダ２１を底壁部１５に載置させると、板状部２３の後端が抜止め部１７に対し前方から係止する。また、ホルダ２１の左右両側面は箱部１２の左右両内壁面に当接しているので、フィルタユニット２０はハウジング１０に対して左右方向の相対変位を規制されている。以上により、フィルタユニット２０はハウジング１０に対して前後方向及び左右方向において位置決めされる。そして、最後にカバー１８を箱部１２に組付けると、板状部２３の後端縁部が底壁部１５とカバー１８との間で上下に挟み付けられる。これにより、フィルタユニット２０は、ハウジング１０に対し上下方向への相対変位を規制される。
【００３５】
本実施例１のフィルタ素子内蔵型コネクタは、合成樹脂製のハウジング１０と、ハウジング１０に設けられた２つの端子金具１９Ｌ，１９Ｒと、リード線２７Ｆ，２７Ｒを有し、フィルタ素子として機能するコンデンサ２５と、リード線２７Ｆ，２７Ｒとは線径の異なる線材からなる端子部３２Ｆ，３２Ｒを有し、フィルタ素子として機能する抵抗３０と、端子金具１９Ｌ，１９Ｒに接続可能な中継端子４０とを備えている。中継端子４０には、リード線２７Ｆとの接続が可能なコンデンサ用接続部４２と、端子部３２Ｆとの接続が可能な抵抗用接続部４３とが形成されている。
【００３６】
中継端子４０のコンデンサ用接続部４２にリード線２７Ｆを接続すれば、その中継端子４０を介して、端子金具１９Ｌとコンデンサ２５が接続される。また、中継端子４０の抵抗用接続部４３に端子部３２Ｆを接続すれば、その中継端子４０を介して、端子金具１９Ｒと抵抗３０が接続される。中継端子４０は、端子金具１９Ｌとコンデンサ２５を接続する機能と、端子金具１９Ｒと抵抗３０を接続する機能との２つの機能を兼ね備えている。したがって、中継端子４０は単一種類で済ますことが可能である。
【００３７】
また、中継端子４０は、端子金具１９Ｌ，１９Ｒを挿入可能な端子用角筒部４５と、端子用角筒部４５内に挿入された端子金具１９Ｌ，１９Ｒに対し弾性的に接触可能な端子用弾性接触片４７とを有している。この構成によれば、中継端子４０と端子金具１９Ｌ，１９Ｒとの接続を容易に行うことができる。
【００３８】
また、コンデンサ用接続部４２は、リード線２７Ｆを挿入可能な共用角筒部４６と、共用角筒部４６内に挿入されたリード線２７Ｆに対し弾性的に接触可能なコンデンサ用弾性接触片４８とを有している。この構成によれば、中継端子４０とリード線２７Ｆとの接続を容易に行うことができる。
【００３９】
また、抵抗用接続部４３は、端子部３２Ｆを挿入可能な共用角筒部４６と、共用角筒部４６内に挿入された端子部３２Ｆに対し弾性的に接触可能な抵抗用弾性接触片４９とを有している。この構成によれば、中継端子４０と端子部３２Ｆとの接続を容易に行うことができる。
【００４０】
また、中継端子４０は、リード線２７Ｆと端子部３２Ｆを同じ向きに挿入可能な共用角筒部４６と、共用角筒部４６内に挿入されたリード線２７Ｆに対し弾性的に接触可能なコンデンサ用弾性接触片４８と、共用角筒部４６内に挿入された端子部３２Ｆに対し弾性的に接触可能な抵抗用弾性接触片４９とを備えている。端子部３２Ｆの線径はリード線２７Ｆの線径よりも大きいので、抵抗用弾性接触片４９を、共用角筒部４６への挿入方向においてコンデンサ用弾性接触片４８よりも手前側に配置している。この構成により、コンデンサ用弾性接触片４８と抵抗用弾性接触片４９を同軸状に配置できた。これにより、中継端子４０の小型化（幅狭化または低背化）を図ることができる。
【００４１】
また、２つの端子金具１９Ｌ，１９Ｒは、中継端子４０との接続方向が平行となるように左右に並列して配置されている。一方、コンデンサ２５と抵抗３０は、直列に接続された状態でフィルタユニット２０として一体化されている。そして、フィルタユニット２０においては、前側のリード線２７Ｆと前側の端子部３２Ｆが、互いに平行をなして前方を向きくように配されている。この構成によれば、中継端子４０を介してリード線２７Ｆを端子金具１９Ｌに接続する工程と、中継端子４０を介して端子部３２Ｆを端子金具１９Ｒに接続する工程とを、ワンアクションで行うことができる。
【００４２】
＜他の実施例＞
本発明は上記記述及び図面によって説明した実施例に限定されるものではなく、例えば次のような実施例も本発明の技術的範囲に含まれる。
（１）上記実施例では、中継端子とリード線を弾性接触片を介して弾性的に接続したが、中継端子とリード線を圧着により接続してもよい。
（２）上記実施例では、中継端子と端子部を弾性接触片を介して弾性的に接続したが、中継端子と端子部を圧着により接続してもよい。
（３）上記実施例では、リード線と端子部が、共通の角筒部内に挿入されるようにしたが、リード線と端子部を専用の角筒部に挿入してもよい。
（４）上記実施例では、コンデンサと抵抗がフィルタユニットとして一体化した状態でハウジングに取り付けられるようにしたが、コンデンサと抵抗は、別々にハウジングに取り付けるようにしてもよい。
【符号の説明】
【００４３】
１０…ハウジング
１９Ｌ，１９Ｒ…端子金具
２０…フィルタユニット
２５…コンデンサ（フィルタ素子）
２７Ｆ，２７Ｒ…リード線（フィルタ素子）
３０…抵抗
３２Ｆ，３２Ｒ…端子部
４０…中継端子
４２…コンデンサ用接続部
４３…抵抗用接続部
４５…端子用角筒部
４６…共用角筒部（角筒部）
４７…端子用弾性接触片
４８…コンデンサ用弾性接触片
４９…抵抗用弾性接触片
【図１】
2016062731.tif 000003
【図２】
2016062731.tif 000004
【図３】
2016062731.tif 000005
【図４】
2016062731.tif 000006